(57)【要約】【課題】内部空間を最大限に広くしてより使い易くすること。【解決手段】立体構築物２は、水平横方向及び水平縦方向にそれぞれ相互に間隔を置いて設置面３上に設置される支柱４、６と、水平横方向に隣り合う支柱４、６間を連結する水平横梁８と、水平縦方向に隣り合う水平横梁８間を連結する水平縦梁１２とを備えている。支柱４、６及び水平横梁８はＰＣコンクリートから構成されている。支柱４、６は受け部２４を備えている。受け部２４の各々には、内側空間を有するジョイント部材１０が戴置されかつ該内側空間からボルトにより締結される。水平横梁８の両端部は、受け部２４に締結されたジョイント部材１０に戴置されかつ該内側空間からボルトにより締結される。【選択図】  図１
2006009359.tif 000002
【特許請求の範囲】
【請求項１】
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、外に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結される、
ことを特徴とする立体構築物。
【請求項２】
水平縦梁手段の各々はＰＣコンクリートからなる１個の水平縦梁から構成される、請求項１記載の立体構築物。
【請求項３】
水平縦梁の各々は、両端に金属板が一体に配設されると共に、金属板の各々を、対応する水平横梁にボルトにより締結することにより、対応する水平横梁に離脱自在に連結される、請求項２記載の立体構築物。
【請求項４】
該水平縦方向に相互に隣り合う支柱の各々のうちの片方又は両方の、該水平横方向における外側間は、ＰＣコンクリートからなるフェンスユニットが離脱自在に連結され、フェンスユニットの各々の該水平横方向における内側と、対応する支柱の該外側との間には、外に開放された内側空間を有する連結金具が介在され、連結金具の各々は、対応する支柱の該外側に該内側空間からボルトにより離脱自在に締結され、フェンスユニットの各々は、対応する連結金具に該内側空間からボルトにより離脱自在に締結される、請求項１〜３のいずれか１項に記載の立体構築物。
【請求項５】
フェンスユニットの各々には、鉄筋と、鉄筋と一体に配設された少なくとも１組のＸ形ブレースとが内蔵されている、請求項４記載の立体構築物。
【請求項６】
水平横梁の各々の上面は実質的に水平面上に位置付けられ、該水平縦方向に相互に隣り合う水平横梁の各々の上面間には、ＰＣコンクリートからなるフロアパネルが戴置されると共にボルトにより離脱自在に締結される、請求項１〜５のいずれか１項に記載の立体構築物。
【請求項７】
支柱の各々の下端及び上端のうち、少なくとも下端は金属板により覆われ、金属板は支柱の各々に内蔵された鉄筋に溶接により固着され、支柱の各々は、下端に配設された金属板を該設置面上にボルトにより離脱自在に締結することにより該設置面上に設置される、請求項１〜６のいずれか１項に記載の立体構築物。
【請求項８】
該水平横方向に相互に隣り合う支柱の各々の本体は、該水平横方向に対向する鉛直面を有し、該水平横方向に相互に隣り合う支柱の各々の受け部は、鉛直面の一部領域と、鉛直面の該一部領域における下端から同じ高さで該水平横方向の内側へ水平に延び出す水平上面と、水平上面に対し下方に間隔をおいた位置における鉛直面から該水平横方向の内側へ上方に傾斜して水平上面の先端よりも該水平横方向の内側に突出しかつ水平上面の先端よりも低い位置まで延び出す傾斜下面と、水平上面の先端から傾斜下面の先端まで該水平横方向の内側へ下方に傾斜して延びる先端傾斜面とを備え、鉛直面の該一部領域、水平上面及び先端傾斜面には、それぞれ、複数のボルト締結用の雌ねじ穴の一端が開口している、請求項１〜７のいずれか１項に記載の立体構築物。
【請求項９】
支柱の各々の受け部における、鉛直面の該一部領域、水平上面及び先端傾斜面に、それぞれ一端が開口する雌ねじ穴の各々は、受け部を含む支柱に内蔵された鉄筋の一端部に形成されている、請求項８記載の立体構築物。
【請求項１０】
ジョイント部材の各々は、鉛直に延在する鉛直外板と、鉛直外板に対し該水平横方向の内側に間隔をおいて鉛直にかつ平行に延在する鉛直内板と、鉛直外板の下端から該水平横方向の内側へ水平に延びる水平下板と、水平下板に対し鉛直上方に間隔をおいて鉛直内板の下端部から該水平横方向の内側へ水平にかつ平行に水平下板の先端よりも該水平横方向の内側に突出した位置まで延び出す水平上板と、水平下板の先端から該水平横方向の内側へ下方に傾斜して延びる先端傾斜下板と、水平上板の先端から先端傾斜下板に対し間隔をおいて平行に該水平横方向の内側へ下方に傾斜して延びる先端傾斜上板とを備え、
鉛直外板、水平下板及び先端傾斜下板には、それぞれ、対応する受け部における、鉛直面の該一部領域、水平上面及び先端傾斜面に一端が開口する雌ねじ穴に対応して、複数のボルト挿入用の貫通穴が形成され、また鉛直内板、水平上板及び先端傾斜上板には、それぞれ、複数のボルト挿入用の貫通穴が形成され、鉛直外板と鉛直内板との間、水平下板と水平上板との間、及び、先端傾斜下板と先端傾斜上板との間には、それぞれ、該内側空間が形成される、請求項８又は請求項９記載の立体構築物。
【請求項１１】
水平横梁の各々の両端部は、それぞれ、鉛直に延在する鉛直端面と、鉛直端面の下端から該水平横方向の内側へ水平に延びる水平下面と、水平下面における、該水平横方向の内側先端から該水平横方向の内側へ下方に傾斜して延びる傾斜下面とを備え、鉛直端面、水平下面及び傾斜下面には、それぞれ、対応するジョイント部材の、鉛直内板、水平上板及び先端傾斜上板に形成されたボルト挿入用の貫通穴に対応する、複数のボルト締結用の雌ねじ穴の一端が開口している、請求項１０記載の立体構築物。
【請求項１２】
水平横梁の各々の両端部における、鉛直端面、水平下面及び傾斜下面に、それぞれ一端が開口する雌ねじ穴の各々は、水平横梁に内蔵された鉄筋の一端部に形成されている、請求項１１記載の立体構築物。
【請求項１３】
水平横梁の各々の両端部にはそれぞれ金属板が配設され、金属板の各々は、水平横梁の各々に内蔵された鉄筋に溶接により固着され、水平横梁の各々の両端部における、鉛直端面、水平下面及び傾斜下面は、それぞれ、該金属板の表面により規定される、請求項１２記載の立体構築物。
【請求項１４】
ジョイント部材の各々は、鉛直外板、水平下板及び先端傾斜下板を、それぞれ、対応する受け部における、鉛直面の該一部領域、水平上面及び先端傾斜面に重合させて、ボルトを貫通穴を通して雌ねじ穴にねじ込んで締結することにより、対応する受け部に離脱自在に締結され、
水平横梁の両端部は、両端部における、鉛直端面、水平下面及び傾斜下面を、それぞれ、対応するジョイント部材の鉛直内板、水平上板及び先端傾斜上板に重合させて、ボルトを貫通穴を通して雌ねじ穴にねじ込んで締結することにより、ジョイント部材を介して対応する支柱の受け部に離脱自在に連結される、請求項１１記載の立体構築物。
【請求項１５】
ジョイント部材の各々における、鉛直外板及び鉛直内板の、鉛直外板に対向する領域に形成された貫通穴の各々と、対応する支柱の受け部における、鉛直面の該一部領域に一端が開口する雌ねじ穴の各々と、水平横梁の、対応する鉛直端面に一端が開口する雌ねじ穴の各々とは、それぞれ相互に、平行でありかつ、実質的に共通の該水平横方向に延在する水平軸線上に配置される、請求項１４記載の立体構築物。
【請求項１６】
支柱の各々の受け部における、鉛直面の該一部領域に一端が開口する雌ねじ穴の各々は、それぞれ、該受け部を含む支柱に内蔵された鉄筋の一端部に形成され、水平横梁の、対応する鉛直端面に一端が開口する雌ねじ穴の各々は、それぞれ、該水平横梁に内蔵された鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該水平軸線上を延在する、少なくとも該鉄筋の各々の一端部を含む直線領域を含んでいる、請求項１５記載の立体構築物。
【請求項１７】
ジョイント部材の各々における、水平上板及び水平下板の、水平上板に対向する領域に形成された貫通穴の各々と、対応する支柱の受け部における、水平上面に一端が開口する雌ねじ穴のうち、水平下板の、水平上板に対向する領域に形成された貫通穴に対応する雌ねじ穴の各々と、水平横梁の、対応する水平下面に一端が開口する雌ねじ穴の各々とは、それぞれ相互に、平行でありかつ、実質的に共通の鉛直軸線上に配置される、請求項１６記載の立体構築物。
【請求項１８】
支柱の各々の受け部における、水平上面に一端が開口する雌ねじ穴の各々は、それぞれ、該受け部を含む支柱に内蔵された鉄筋の一端部に形成され、水平横梁の、対応する水平下面に一端が開口する雌ねじ穴の各々は、それぞれ、該水平横梁に内蔵された鉄筋の一端部に形成され、該受け部を含む支柱に内蔵された鉄筋のうち、水平下板の、水平上板に対向する領域に形成された貫通穴に対応する雌ねじ穴が形成された鉄筋の各々と、該水平横梁に内蔵された該鉄筋の各々とは、それぞれ相互に、平行でありかつ、実質的に共通の該鉛直軸線上を延在する、少なくとも該鉄筋の各々の一端部を含む直線領域を含んでいる、請求項１７記載の立体構築物。
【請求項１９】
ジョイント部材の各々における、先端傾斜下板及び先端傾斜上板に形成された貫通穴の各々と、対応する支柱の受け部における、先端傾斜面に一端が開口する雌ねじ穴の各々と、水平横梁の、対応する傾斜下面に一端が開口する雌ねじ穴の各々とは、それぞれ相互に、平行でありかつ、実質的に共通の傾斜軸線上に配置される、請求項１８記載の立体構築物。
【請求項２０】
支柱の各々の受け部における、先端傾斜面に一端が開口する雌ねじ穴の各々は、それぞれ、該受け部を含む支柱に内蔵された鉄筋であって傾斜下面に沿って斜めに直線状に延在する鉄筋の一端部に形成され、水平横梁の、対応する傾斜下面に一端が開口する雌ねじ穴の各々は、それぞれ、該水平横梁に内蔵された鉄筋であって斜めに直線状に延在する鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該傾斜軸線上を延在する、少なくとも該鉄筋の各々の一端部を含む直線領域を含んでいる、請求項１９記載の立体構築物。
【発明の詳細な説明】
【技術分野】
【０００１】
本発明は、水平横方向及び該水平横方向に直交する水平縦方向にそれぞれ相互に間隔を置いて設置面上に離脱自在に設置される支柱と、該水平横方向に対向する支柱間を離脱自在に連結する水平横梁と、該水平縦方向に対向する水平横梁間を離脱自在に連結する水平縦梁とを備えた立体構築物に関する。本発明に係る立体構築物は、例えば、立体駐車場、倉庫、工場、店舗等に適用される。
【背景技術】
【０００２】
本発明者は、先に、分離自在に組み立てられ、実質上平坦な表面上に載置される立体構築物を開発し、実用化している。この立体構築物は、特許文献１に開示されているように、所定の幅をもって水平方向に所定の長さ延在するところの、該表面上に載置される基部と、基部から鉛直上方に延びかつ該幅方向の厚さを規定する両側面と該水平方向の長さを規定する両端面とを有する直立部とを備え、それぞれＰＣコンクリートから一体に成形された複数個の直立支持部材を含んでいる。直立支持部材の各々は、水平横方向及び該水平横方向に直交する水平縦方向にそれぞれ相互に間隔を置いて配置される。該水平横方向に相互に隣り合う直立支持部材の各々は、各々の直立部の一端面同士が相互に向き合わされて該水平横方向に一定の間隔を置いて配置されると共に横梁部材により分離自在に連結される。該水平縦方向に相互に隣り合う直立支持部材の各々は、各々の直立部の一側面同士が相互に向き合わされて該水平縦方向に一定の間隔を置いて配置されると共に縦梁部材により相互に分離自在に連結される。該水平縦方向に相互に隣り合う横梁部材の各々は、縦梁部材により相互に分離自在に連結される。
【０００３】
上記立体構築物によれば、それ以前の柱構造からなる立体構築物に対し、同一設置面積において、一層大きな利用空間を得ることができる、水平方向及び上方への面積の拡大が容易である、全体の組立時間が短縮される、などの優れた効果が得られる。ＰＣコンクリート製の直立支持部材は、該水平縦方向における設置スペースの拡大には有効であるが、その反面、立体構築物の相互に対向する周縁から該水平横方向の内側に突出する量が、通常の柱よりも大きくなるので、その分、該水平横方向に相互に隣り合う直立支持部材の各々間のスペースが狭くなって使いにくくなるおそれがある。また、直立支持部材の各々間及び横梁部材の各々間を連結するために多数の縦梁部材が使用されるので、部品点数及び組付け工数が多くなり、コストの低減及び組立時間の短縮などにおいて、更なる改善の余地が残されている。更にはまた、縦梁部材の各々はＨ鋼により構成されると共に数多く使用されるのでコストが高くなるおそれがある。
【特許文献１】特開平０９−０７８８７１号公報
【発明の開示】
【発明が解決しようとする課題】
【０００４】
本発明の目的は、内部空間を最大限に広くしてより使い易くすることを可能にする、改良された立体構築物を提供することである。
【０００５】
本発明の他の目的は、構成部材の種類及び数並びに組付け工数を低減して、トータルコストの低減及び組立時間の短縮を可能にする、改良された立体構築物を提供することである。
【０００６】
本発明の更に他の目的は、構成部材を簡素化することによって、構成部材の製作及び組立作業を容易にすると共に組立時間を短縮し、トータルコストの低減を可能にする、改良された立体構築物を提供することである。
【０００７】
本発明の更に他の目的は、構成部材の多くをＰＣコンクリートにより一体に形成することによって簡素化して組立時間を短縮すると共に、強度部材を可能な限り内蔵することによって所要の強度を確保し、更には外観を向上させることができる、改良された立体構築物を提供することである。
【０００８】
本発明の更に他の目的は、それぞれＰＣコンクリートからなる支柱と水平横梁との連結を容易かつ強固に行うことを可能にし、しかも、地震など、不測の外力を受けた際、あるいは老朽化した際においても、水平横梁の落下を防止することができる、改良された立体構築物を提供することである。
【０００９】
本発明の更に他の目的は、水平横方向及び水平縦方向への面積の拡大はもとより、上方への拡大も容易である、改良された立体構築物を提供することである。
【課題を解決するための手段】
【００１０】
本発明によれば、
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、外に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結される、
ことを特徴とする立体構築物、が提供される。
水平縦梁手段の各々はＰＣコンクリートからなる１個の水平縦梁から構成される、ことが好ましい。
水平縦梁の各々は、両端に金属板が一体に配設されると共に、金属板の各々を、対応する水平横梁にボルトにより締結することにより、対応する水平横梁に離脱自在に連結される、ことが好ましい。
該水平縦方向に相互に隣り合う支柱の各々のうちの片方又は両方の、該水平横方向における外側間は、ＰＣコンクリートからなるフェンスユニットが離脱自在に連結され、フェンスユニットの各々の該水平横方向における内側と、対応する支柱の該外側との間には、外に開放された内側空間を有する連結金具が介在され、連結金具の各々は、対応する支柱の該外側に該内側空間からボルトにより離脱自在に締結され、フェンスユニットの各々は、対応する連結金具に該内側空間からボルトにより離脱自在に締結される、ことが好ましい。
フェンスユニットの各々には、鉄筋と、鉄筋と一体に配設された少なくとも１組のＸ形ブレースとが内蔵されている、ことが好ましい。
水平横梁の各々の上面は実質的に水平面上に位置付けられ、該水平縦方向に相互に隣り合う水平横梁の各々の上面間には、ＰＣコンクリートからなるフロアパネルが戴置されると共にボルトにより離脱自在に締結される、ことが好ましい。
支柱の各々の下端及び上端のうち、少なくとも下端は金属板により覆われ、金属板は支柱の各々に内蔵された鉄筋に溶接により固着され、支柱の各々は、下端に配設された金属板を該設置面上にボルトにより離脱自在に締結することにより該設置面上に設置される、ことが好ましい。
該水平横方向に相互に隣り合う支柱の各々の本体は、該水平横方向に対向する鉛直面を有し、該水平横方向に相互に隣り合う支柱の各々の受け部は、鉛直面の一部領域と、鉛直面の該一部領域における下端から同じ高さで該水平横方向の内側へ水平に延び出す水平上面と、水平上面に対し下方に間隔をおいた位置における鉛直面から該水平横方向の内側へ上方に傾斜して水平上面の先端よりも該水平横方向の内側に突出しかつ水平上面の先端よりも低い位置まで延び出す傾斜下面と、水平上面の先端から傾斜下面の先端まで該水平横方向の内側へ下方に傾斜して延びる先端傾斜面とを備え、鉛直面の該一部領域、水平上面及び先端傾斜面には、それぞれ、複数のボルト締結用の雌ねじ穴の一端が開口している、ことが好ましい。
支柱の各々の受け部における、鉛直面の該一部領域、水平上面及び先端傾斜面に、それぞれ一端が開口する雌ねじ穴の各々は、受け部を含む支柱に内蔵された鉄筋の一端部に形成されている、ことが好ましい。
ジョイント部材の各々は、鉛直に延在する鉛直外板と、鉛直外板に対し該水平横方向の内側に間隔をおいて鉛直にかつ平行に延在する鉛直内板と、鉛直外板の下端から該水平横方向の内側へ水平に延びる水平下板と、水平下板に対し鉛直上方に間隔をおいて鉛直内板の下端部から該水平横方向の内側へ水平にかつ平行に水平下板の先端よりも該水平横方向の内側に突出した位置まで延び出す水平上板と、水平下板の先端から該水平横方向の内側へ下方に傾斜して延びる先端傾斜下板と、水平上板の先端から先端傾斜下板に対し間隔をおいて平行に該水平横方向の内側へ下方に傾斜して延びる先端傾斜上板とを備え、鉛直外板、水平下板及び先端傾斜下板には、それぞれ、対応する受け部における、鉛直面の該一部領域、水平上面及び先端傾斜面に一端が開口する雌ねじ穴に対応して、複数のボルト挿入用の貫通穴が形成され、また鉛直内板、水平上板及び先端傾斜上板には、それぞれ、複数のボルト挿入用の貫通穴が形成され、鉛直外板と鉛直内板との間、水平下板と水平上板との間、及び、先端傾斜下板と先端傾斜上板との間には、それぞれ、該内側空間が形成される、ことが好ましい。
水平横梁の各々の両端部は、それぞれ、鉛直に延在する鉛直端面と、鉛直端面の下端から該水平横方向の内側へ水平に延びる水平下面と、水平下面における、該水平横方向の内側先端から該水平横方向の内側へ下方に傾斜して延びる傾斜下面とを備え、鉛直端面、水平下面及び傾斜下面には、それぞれ、対応するジョイント部材の、鉛直内板、水平上板及び先端傾斜上板に形成されたボルト挿入用の貫通穴に対応する、複数のボルト締結用の雌ねじ穴の一端が開口している、ことが好ましい。
水平横梁の各々の両端部における、鉛直端面、水平下面及び傾斜下面に、それぞれ一端が開口する雌ねじ穴の各々は、水平横梁に内蔵された鉄筋の一端部に形成されている、ことが好ましい。
水平横梁の各々の両端部にはそれぞれ金属板が配設され、金属板の各々は、水平横梁の各々に内蔵された鉄筋に溶接により固着され、水平横梁の各々の両端部における、鉛直端面、水平下面及び傾斜下面は、それぞれ、該金属板の表面により規定される、ことが好ましい。
ジョイント部材の各々は、鉛直外板、水平下板及び先端傾斜下板を、それぞれ、対応する受け部における、鉛直面の該一部領域、水平上面及び先端傾斜面に重合させて、ボルトを貫通穴を通して雌ねじ穴にねじ込んで締結することにより、対応する受け部に離脱自在に締結され、水平横梁の両端部は、両端部における、鉛直端面、水平下面及び傾斜下面を、それぞれ、対応するジョイント部材の鉛直内板、水平上板及び先端傾斜上板に重合させて、ボルトを貫通穴を通して雌ねじ穴にねじ込んで締結することにより、ジョイント部材を介して対応する支柱の受け部に離脱自在に連結される、ことが好ましい。
ジョイント部材の各々における、鉛直外板及び鉛直内板の、鉛直外板に対向する領域に形成された貫通穴の各々と、対応する支柱の受け部における、鉛直面の該一部領域に一端が開口する雌ねじ穴の各々と、水平横梁の、対応する鉛直端面に一端が開口する雌ねじ穴の各々とは、それぞれ相互に、平行でありかつ、実質的に共通の該水平横方向に延在する水平軸線上に配置される、ことが好ましい。
支柱の各々の受け部における、鉛直面の該一部領域に一端が開口する雌ねじ穴の各々は、それぞれ、該受け部を含む支柱に内蔵された鉄筋の一端部に形成され、水平横梁の、対応する鉛直端面に一端が開口する雌ねじ穴の各々は、それぞれ、該水平横梁に内蔵された鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該水平軸線上を延在する、少なくとも該鉄筋の各々の一端部を含む直線領域を含んでいる、ことが好ましい。
ジョイント部材の各々における、水平上板及び水平下板の、水平上板に対向する領域に形成された貫通穴の各々と、対応する支柱の受け部における、水平上面に一端が開口する雌ねじ穴のうち、水平下板の、水平上板に対向する領域に形成された貫通穴に対応する雌ねじ穴の各々と、水平横梁の、対応する水平下面に一端が開口する雌ねじ穴の各々とは、それぞれ相互に、平行でありかつ、実質的に共通の鉛直軸線上に配置される、ことが好ましい。
支柱の各々の受け部における、水平上面に一端が開口する雌ねじ穴の各々は、それぞれ、該受け部を含む支柱に内蔵された鉄筋の一端部に形成され、水平横梁の、対応する水平下面に一端が開口する雌ねじ穴の各々は、それぞれ、該水平横梁に内蔵された鉄筋の一端部に形成され、該受け部を含む支柱に内蔵された鉄筋のうち、水平下板の、水平上板に対向する領域に形成された貫通穴に対応する雌ねじ穴が形成された鉄筋の各々と、該水平横梁に内蔵された該鉄筋の各々とは、それぞれ相互に、平行でありかつ、実質的に共通の該鉛直軸線上を延在する、少なくとも該鉄筋の各々の一端部を含む直線領域を含んでいる、ことが好ましい。
ジョイント部材の各々における、先端傾斜下板及び先端傾斜上板に形成された貫通穴の各々と、対応する支柱の受け部における、先端傾斜面に一端が開口する雌ねじ穴の各々と、水平横梁の、対応する傾斜下面に一端が開口する雌ねじ穴の各々とは、それぞれ相互に、平行でありかつ、実質的に共通の傾斜軸線上に配置される、ことが好ましい。
支柱の各々の受け部における、先端傾斜面に一端が開口する雌ねじ穴の各々は、それぞれ、該受け部を含む支柱に内蔵された鉄筋であって傾斜下面に沿って斜めに直線状に延在する鉄筋の一端部に形成され、水平横梁の、対応する傾斜下面に一端が開口する雌ねじ穴の各々は、それぞれ、該水平横梁に内蔵された鉄筋であって斜めに直線状に延在する鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該傾斜軸線上を延在する、少なくとも該鉄筋の各々の一端部を含む直線領域を含んでいる、ことが好ましい。
【発明を実施するための最良の形態】
【００１１】
以下、本発明に従って構成された立体構築物の好適な実施の形態を、添付図面を参照して詳細に説明する。
【００１２】
先ず、図１を参照して、立体構築物２の全体構成を概略的に説明する。３階式立体駐車場に適用される立体構築物２は全体としてほぼ直方体形状に分離自在に組み立てられ、平坦な設置面３上に設置される。立体構築物２は、支柱４及び６と、水平横梁８と、金属製のジョイント部材１０と、水平縦梁、実施形態においては水平縦梁１２と、フェンスユニット１４と、連結金具１６及び１８と、フロアパネル２０とを備えている。支柱４及び６、水平横梁８、水平縦梁１０、フェンスユニット１４、フロアパネル２０は、それぞれＰＣコンクリート（プレキャストコンクリート）から一体に成形されると共に、それぞれ複数個備えられている。
【００１３】
支柱４及び６は、水平横方向及び該水平横方向に直交する水平縦方向にそれぞれ相互に間隔を置いて設置面３上に直立して離脱自在に設置されている。水平横梁８は、水平横方向に相互に隣り合う支柱４及び６間を離脱自在に連結している。水平縦梁１２は、水平縦方向に相互に平行に隣り合う水平横梁８の各々間を離脱自在に連結している。なお、この明細書において、水平横方向とは、立体構築物２の幅方向である、図１において左右方向、水平縦方向とは、水平横方向に水平に直交する立体構築物２の長手方向である、図１においてほぼ紙面の表裏方向を意味するものとする。
【００１４】
水平横梁に相互に隣り合う支柱４及び６の水平横方向間隔は、それぞれ実質的に同一であり、支柱４の各々の水平縦方向間隔及び支柱６の各々の水平縦方向間隔はそれぞれ実質的に同一である。水平横方向に相互に隣り合う支柱４及び６の上下方向中央部間及び上端部間は、それぞれ、１個の水平横梁８により、ジョイント部材１０を介して離脱自在に連結されている。水平縦方向に相互に平行に隣り合う水平横梁８の、水平横方向における中央部間は、それぞれ、１個の水平縦梁１２により離脱自在に連結されている。
【００１５】
それぞれ水平縦方向に相互に隣り合う支柱４の各々及び支柱６の各々における、上下方向中央部及び上端部であって、水平横方向における外側間は、それぞれ、フェンスユニット１４により、連結金具１６及び１８を介して離脱自在に連結されている。フェンスユニット１４はまた、立体構築物２の長手方向の両端に配置された上下２個の水平横梁８の、水平縦方向における外側にも、それぞれ、連結金具１６及び１８を介して離脱自在に連結されている（図２７及び図２８参照）。
【００１６】
水平横方向に相互に隣り合う支柱４及び６の上下方向のほぼ中央部間をそれぞれ連結する水平横梁８の各々の上面は、それぞれ、ジョイント部材１０の上面と共に、実質的に共通の水平面上に位置付けられている。また、水平横方向に相互に隣り合う支柱４及び６の上端部間をそれぞれ連結する水平横梁８の各々の上面は、それぞれ、ジョイント部材１０の上面、及び支柱４及び６の水平面４２（図２参照：後述する）と共に、実質的に共通の水平面上に位置付けられている。そして水平横方向に相互に隣り合う支柱４及び６の上下方向のほぼ中央部間を連結する水平横梁８の各々の上面間には、それぞれ、２階のフロアを構成するフロアパネル２０が離脱自在に連結されている。また水平横方向に相互に隣り合う支柱４及び６の上端部間を連結する水平横梁８の各々の上面間には、それぞれ、３階のフロアを構成するフロアパネル２０が離脱自在に連結されている。
【００１７】
なお、図示はされていないが、図１に示す立体構築物２には、２階のフロア２Ｆと地表面とを結ぶ斜路及び階段が設けられる。また、２階のフロア２Ｆと３階のフロア３Ｆとの間には、連通路及び階段が設けられる。斜路及び連通路は自動車が通行するためのものであり、階段は人が通行するためのものである。上記フェンスユニット１４は、２階及び３階のフロア２Ｆ及び３Ｆの周縁を囲むように配設されるが、上記連通路及び階段の出入口に対応する箇所には配設されない。
【００１８】
次に、支柱４及び６について説明する。支柱４及び６の各々は相互に共通部品からなるので、以下、それらを代表して支柱４について説明する。なお、支柱４及び６において、相互に実質的に同一部分は同一符号で図示されている。
【００１９】
図２及び図４〜図６を参照して、支柱４は、鉛直に延在する本体２２と、本体２２から該水平横方向の内側（図２において右側）へ延び出す受け部２４を備えている。横断面が矩形をなす本体２２は、鉛直面２６を有している。この鉛直面２６は、支柱４に対し、水平横方向に対向する支柱６の鉛直面２６に対向して位置付けられている。受け部２４は、鉛直面２６の一部領域２８と、水平上面３０と、傾斜下面３２と、先端傾斜面３４とを備えている。水平上面３０は、鉛直面２６の一部領域２８における下端から水平横方向の内側へ水平に延び出している。傾斜下面３２は、水平上面３０に対し下方に間隔をおいた位置における鉛直面２６から水平横方向の内側へ上方に傾斜して水平上面２６の先端よりも水平横方向の内側に突出しかつ水平上面２６の先端よりも低い位置まで延び出している。先端傾斜面３４は、水平上面２６の先端から傾斜下面３２の先端まで水平横方向の内側へ下方に傾斜して延びている。
【００２０】
鉛直面２６の一部領域２８における水平縦方向の両端部には、それぞれ複数の（実施形態においてはそれぞれ６個の）ボルト締結用の雌ねじ穴３６の一端が開口している。雌ねじ穴３６の配列は、水平縦方向に一定の間隔を有する一対の雌ねじ穴３６を、それぞれ鉛直に等間隔をおいて６対配置することにより規定されている。鉛直面２６の一部領域２８に、一端が開口する雌ねじ穴３６の各々は、それぞれ、受け部２４を含む支柱４に内蔵された複数の（実施形態においては１２個の）鉄筋３６Ｒの各々の一端部に形成されている。鉄筋３６Ｒの各々は、水平横方向に相互に平行に延在する、少なくとも該一端部を含む直線領域を含んでいる。
【００２１】
水平上面３０における水平縦方向の両端部には、それぞれ複数の（実施形態においてはそれぞれ４個の）ボルト締結用の雌ねじ穴３８の一端が開口している。雌ねじ穴３８の配列は、水平縦方向に一定の間隔を有する一対の雌ねじ穴３８を、水平横方向に等間隔をおいて４対配置することにより規定されている。水平上面３０に、それぞれ一端が開口する雌ねじ穴３８の各々は、それぞれ、受け部２４を含む支柱４に内蔵された複数の（実施形態においては８個の）鉄筋３８Ｒの各々の一端部に形成されている。鉄筋３８Ｒの各々は、鉛直に相互に平行に延在する、少なくとも該一端部を含む直線領域と、直線領域の下端から傾斜下面３２に平行に延在する傾斜領域とを含んでいる。
【００２２】
先端傾斜面３４における水平縦方向の両端部には、それぞれ１個のボルト締結用の雌ねじ穴４０の一端が開口している。先端傾斜面３４に、それぞれ一端が開口する雌ねじ穴４０の各々は、受け部２４を含む支柱４に内蔵された鉄筋４０Ｒであって傾斜下面３２に沿って（傾斜下面３２に平行に）斜めに直線状に延在する鉄筋４０Ｒの一端部に形成されている。鉄筋４０Ｒの各々は、斜めに相互に平行に延在する、少なくとも該一端部を含む直線領域を含んでいる。
【００２３】
図２に示されているように、支柱４の上端部における水平横方向内側領域には矩形の水平面４２が形成され、水平横方向外側領域には水平面４２から上方に延び出す支持部４４が形成されている。支持部４４における水平横方向の外側（図２において左側）は、本体２２の水平横方向外側鉛直面に連続する鉛直面をなしている。支持部４４は、後述するフェンスユニット１４を装着するために形成されている。
【００２４】
支柱４の下端及び上端のうちの少なくとも下端（実施形態においては下端）は、例えば鋼板からなる金属板４５により覆われている。金属板４５は、支柱４に内蔵された複数の他の鉄筋４Ｒであって、本体２２内を鉛直に延在する複数の他の鉄筋４Ｒの下端に溶接により固着されている。平面矩形の平板からなる金属板４５は、本体２２の矩形横断面よりも面積が広く、本体２２の下端周縁から水平外方に延び出している。金属板４５の周縁部には複数のボルト挿入用の穴４６が形成されている。設置面３は、図２３に示されているように、地面に所定の厚さをもって配設されたコンクリート製の１階フロア４７（１Ｆ）の上面により規定されている。１階フロア４７の下には複数の基礎４８が配設されている。支柱４は、下端に配設された金属板４５を基礎４８の直上に位置する１階フロア４７に図示しないボルトにより離脱自在に締結することにより、設置面３上に離脱自在に設置される。支柱４に内蔵されている上記鉄筋３６Ｒ、３８Ｒ、４０Ｒ及び４Ｒは、それぞれ丸鋼から形成されている。
【００２５】
次に、ジョイント部材１０について説明する。なお、ジョイント部材１０の各々は相互に共通部品からなるので、以下、それらを代表して支柱４に装着されるジョイント部材１０について説明する。ジョイント部材１０は、後述する複数の矩形金属板、実施形態においては複数の矩形鋼板を相互に溶接することにより構成されている。図２、図４、図７及び図８を参照して、ジョイント部材１０は、鉛直外板５０と、鉛直内板５２と、水平下板５４と、水平上板５６と、先端傾斜下板５８と、先端傾斜上板６０とを備えている。ジョイント部材１０の水平縦方向の幅は一定である。
【００２６】
鉛直外板５０は、両面を水平横方向に向けて鉛直に延在する。鉛直内板５２は、鉛直外板５０に対し、水平横方向の内側に間隔をおいて鉛直にかつ平行にほぼ同じ長さ延在する。水平下板５４は、鉛直外板５０の下端から、両面を鉛直に向けて水平横方向の内側へ水平に延びている。鉛直外板５０及び鉛直内板５２の下端は水平下板５４の上面に突き当てられている。水平上板５６は、水平下板５４に対し鉛直上方に間隔をおいて鉛直内板５２の下端部から水平横方向の内側へ水平にかつ平行に水平下板５４の先端よりも水平横方向の内側に突出した位置まで延び出している。先端傾斜下板５８は、水平下板５４の先端から水平横方向の内側へ下方に傾斜して延びている。先端傾斜上板６０は、水平上板５６の先端から先端傾斜下板５８に対し間隔をおいて平行に水平横方向の内側へ下方に傾斜して、先端傾斜下板５８と同じ長さ延びている。
【００２７】
鉛直外板５０と鉛直内板５２との間、水平下板５４と水平上板５６との間及び先端傾斜下板５８と先端傾斜上板６０との間、の各々における水平縦方向の中央には、それぞれ、間隔保持板６２、６４及び６６が、両面を水平縦方向に向けて配置されている。鉛直外板５０と鉛直内板５２との間における上端間には、間隔保持板６７が両面を鉛直に向けて配置されている。鉛直外板５０と鉛直内板５２との間であって、間隔保持板６２の水平縦方向両側には、それぞれ、複数の間隔保持板６８が、両面を鉛直に向けてかつ、鉛直に間隔をおいて配置されている。水平下板５４と水平上板５６との間であって、間隔保持板６４の水平縦方向両側には、それぞれ、複数の間隔保持板７０が、両面を水平横方向に向けてかつ、水平横方向に間隔をおいて配置されている。先端傾斜下板５８と先端傾斜上板６０との間における、水平縦方向の両端には、それぞれ、１個の間隔保持板７２が、両面を水平縦方向に向けて配置されている。なお、先端傾斜下板５８と先端傾斜上板６０の基端には、水平下板５４と水平上板５６の先端を覆うような間隔保持板７４が配置されている。先端傾斜下板５８と先端傾斜上板６０と間隔保持板７４とは、一枚の鋼板をチャンネル形に折り曲げることにより一体に形成されている。上記間隔保持板６２、６４、６６、６７、６８、７０、７２及び７４は、それぞれ補強板でもある。
【００２８】
鉛直外板５０と鉛直内板５２との間であって、間隔保持板６２の水平縦方向両側には、それぞれ、ジョイント部材１０の外である、ジョイント部材１０の水平縦方向における両外側に開放された内側空間が設けられる。同様に、水平下板５４と水平上板５６との間であって、間隔保持板６４の水平縦方向両側には、それぞれ、ジョイント部材１０の外である、ジョイント部材１０の水平縦方向における両外側に開放された内側空間が設けられる。また、先端傾斜下板５８と先端傾斜上板６０との間であって、間隔保持板６６の水平縦方向両側には、それぞれ、ジョイント部材１０の外である、ジョイント部材１０の水平横方向における内側に向って斜め下外方に開放された内側空間が設けられる。
【００２９】
鉛直外板５０、水平下板５４及び先端傾斜下板５８における水平縦方向の両端部には、それぞれ、対応する受け部２４における、鉛直面２６の該一部領域２８、水平上面３０及び先端傾斜面３４に一端が開口する雌ねじ穴３６、３８及び４０に対応して、それぞれ、６個、４個及び１個のボルト挿入用の貫通穴７６、７８及び８０が形成されている。また鉛直内板５２、水平上板５６及び先端傾斜上板６０における水平縦方向の両端部には、それぞれ１個以上の（実施形態においてはそれぞれ５個、３個及び１個の）ボルト挿入用の貫通穴８２、８４及び８６が形成されている。鉛直内板５２の貫通穴８２は、鉛直外板５０の、鉛直内板５２に対向する領域に形成された５対の貫通穴７６に対応して形成されている。水平上板５６の貫通穴８４は、水平下板５４の、水平上板５６に対向する位置に形成された３対の貫通穴７８に対応して形成されている。また、先端傾斜上板６０の貫通穴８６は、先端傾斜下板５８の２個の貫通穴８０に対応して形成されている。
【００３０】
次に、水平横梁８について説明する。水平横梁８の各々は相互に共通部品からなる。水平横梁８の両端部の構成は相互に実質的に同じであるので、以下、それらを代表して、支柱４の受け部２４にジョイント部材１０を介して連結される一端部（図１において左端部）の構成について説明する。
【００３１】
図２、図４及び図９〜１２を参照して、矩形横断面を有する水平横梁８の一端部は、鉛直に延在する鉛直端面８８と、鉛直端面８８の下端から水平横方向の内側へ水平に延びる水平下面９０と、水平下面９０における、水平横方向の内側先端から水平横方向の内側へ下方に傾斜して延びる傾斜下面９２とからなる。鉛直端面８８、水平下面９０及び傾斜下面９２における水平縦方向の両端部には、それぞれ、対応するジョイント部材１０の、鉛直内板５２、水平上板５６及び先端傾斜上板６０に形成されたボルト挿入用の貫通穴８２、８４及び８６に対応して、それぞれ、５個、３個及び１個のボルト締結用の雌ねじ穴９４、９６及び９８の一端が開口している。
【００３２】
鉛直端面８８に一端が開口する雌ねじ穴９４の各々は、水平横梁８に内蔵された複数の（実施形態においては１０個の）鉄筋９４Ｒの一端部に形成されている。鉄筋９４Ｒの各々は、水平横方向に相互に平行に延在する、少なくとも該一端部を含む直線領域を含んでいる。水平下面９０に一端が開口する雌ねじ穴９６の各々は、水平横梁８に内蔵された複数の（実施形態においては６個の）鉄筋９６Ｒの一端部に形成されている。鉄筋９６Ｒの各々は、鉛直に相互に平行に延在する、少なくとも該一端部を含む直線領域を含んでいる。傾斜下面９２に一端が開口する雌ねじ穴９８の各々は、水平横梁８に内蔵された複数の（実施形態においては２個の）鉄筋９８Ｒの一端部に形成されている。鉄筋９８Ｒの各々は、水平横方向の外側から内側にかつ下方から上方に斜めに、相互に平行に延在する、少なくとも該一端部を含む直線領域を含んでいる。水平横梁８に内蔵されている上記鉄筋９４Ｒ、９６Ｒ及び９８Ｒは、それぞれ丸鋼から形成されている。
【００３３】
水平横梁８の一端部には、鋼板でよい金属板１００が配設されている。金属板１００は、水平横梁８に内蔵された鉄筋９４Ｒ、９６Ｒ及び９８Ｒの先端部に溶接により固着されている。水平横梁８の一端部における、鉛直端面８８、水平下面９０及び傾斜下面９２は、金属板１００の表面により規定される。
【００３４】
上記説明から明らかなように、水平横梁８の両端部には金属板１００が配設され、金属板１００の各々は内蔵された鉄筋に固着される。水平横梁８の両端部に配設された金属板１００は、水平横梁８の強度を向上させると共に、必要に応じてコンクリートにプレストレスを付加する機能をも有している。
【００３５】
支柱４及び６の受け部２４における、水平横梁８の、対応する端部の支持構造は相互に実質的に同じであるので、以下、支柱４の受け部２４における、水平横梁８の一端部の支持構造について説明する。
【００３６】
図２〜図４及び図１３を参照して、ジョイント部材１０は、鉛直外板５０、水平下板５４及び先端傾斜下板５８を、それぞれ、受け部２４における、鉛直面２６の一部領域２８、水平上面３０及び先端傾斜面３４に重合させることにより、受け部２４に戴置される。続いて、ジョイント部材１０の、水平縦方向外方に開放されている内部空間からボルト１０２を、鉛直外板５０の貫通穴７６を通して受け部２４における、鉛直面２６の一部領域２８の雌ねじ穴３６にねじ込んで、鉛直外板５０を鉛直面２６の一部領域２８に離脱自在に締結する。また、水平縦方向外方に開放されている他の内部空間からボルト１０４を、水平下板５４の貫通穴７８を通して受け部２４における水平上面３０の雌ねじ穴３８にねじ込んで、水平下板５４を水平上面３０に離脱自在に締結する。そしてまた、水平横方向の内側下外方に開放されている内部空間からボルト１０６を、先端傾斜下板５８の貫通穴８０（図８参照）を通して受け部２４における、先端傾斜面３４の雌ねじ穴４０にねじ込んで、先端傾斜下板５８を先端傾斜面３４に離脱自在に締結する。以上のとおりにして、ジョイント部材１０は、支柱４の受け部２４に離脱自在に強固に連結される。
【００３７】
水平横梁８の一端部は、一端部における、鉛直端面８８、水平下面９０及び傾斜下面９２を、それぞれ、ジョイント部材１０の鉛直内板５２、水平上板５６及び先端傾斜上板６０に重合させることにより、ジョイント部材１０に戴置される。続いて、ジョイント部材１０の、水平縦方向外方に開放されている内部空間からボルト１０８を、鉛直内板５２の貫通穴８２を通して水平横梁８の一端部における鉛直端面８８の雌ねじ穴９４にねじ込んで、鉛直端面８８を鉛直内板５２に離脱自在に締結する。また、水平縦方向外方に開放されている他の内部空間からボルト１１０を、水平上板５６の貫通穴８４を通して水平横梁８の一端部における水平下面９０の雌ねじ穴９６にねじ込んで、水平下面９０を水平上板５６に離脱自在に締結する。そしてまた、水平横方向の内側下方に開放されている内部空間からボルト１１２を、先端傾斜上板６０の貫通穴８６を通して水平横梁８の一端部における傾斜下面９２の雌ねじ穴９８にねじ込んで、傾斜下面９２を先端傾斜上板６０に離脱自在に締結する。以上のとおりにして、水平横梁８の一端部は、ジョイント部材１０に離脱自在に強固に連結される。したがって、水平横梁８の一端部はジョイント部材１０を介して支柱４の受け部２４に離脱自在に連結される。水平横梁８の上面とジョイント部材１０の上面（間隔保持板６７（図４及び図７参照）の上面により規定される）とは、実質的に共通の水平面上に位置付けられる。
【００３８】
ジョイント部材１０の、受け部２４に対する上記ボルト締め作業及び水平横梁８の一端部に対する上記ボルト締め作業は、該内部空間を利用して容易に行うことができるので、組立時間の短縮に寄与する。
【００３９】
図１及び先の説明から容易に理解されるように、水平横方向に対向する支柱４及び６の受け部２４の各々には、外に開放された内側空間を有する金属製のジョイント部材１０が戴置されると共に該内側空間からボルトにより離脱自在に締結される。水平横梁８の各々の両端部は、対応する支柱４及び６の受け部２４に締結されたジョイント部材１０に戴置されると共にジョイント部材１０の該内側空間からボルトにより離脱自在に締結される。このような構成は、支柱４及び６と水平横梁８が共にＰＣコンクリートから形成されていても、水平横梁８を支柱４及び６間に、容易かつ確実にしかも迅速に離脱自在に連結して支持することを可能にする。
【００４０】
図４及び図１３を参照して、水平横梁８の一端部が支柱４の受け部２４にジョイント部材１０を介して離脱自在に連結された状態において、ジョイント部材１０における、鉛直外板５０及び鉛直内板５２の、鉛直外板５０に対向する領域に形成された貫通穴７６及び８２の各々と、受け部２４における、鉛直面２６の一部領域２８に一端が開口する雌ねじ穴３６の各々と、水平横梁８の鉛直端面８８に一端が開口する雌ねじ穴９４の各々とは、それぞれ、相互に平行でありかつ、実質的に共通の水平横方向に延在する水平軸線上に配置される。鉛直面２６の一部領域２８に一端が開口する雌ねじ穴３６の各々は、それぞれ、上記鉄筋３６Ｒの一端部に形成されている。鉛直端面８８に一端が開口する雌ねじ穴９４の各々は、それぞれ、上記鉄筋９４Ｒの一端部に形成されている。また、支柱４に内蔵された上記鉄筋３６Ｒの各々と、水平横梁８に内蔵された上記鉄筋９４Ｒの各々とは、それぞれ相互に、平行でありかつ、実質的に共通の該水平軸線上を延在する、少なくとも上記鉄筋３６Ｒ及び９４Ｒの各々の一端部を含む直線領域を含んでいる。
【００４１】
このような構成は、支柱４の受け部２４における鉛直面２６の一部領域２８とジョイント部材１０の鉛直外板５０との間の連結、及びジョイント部材１０の鉛直内板５２と水平横梁８の鉛直端面８８との間の連結、すなわち、支柱４の受け部２４における鉛直面２６の一部領域２８と水平横梁８の鉛直端面８８との間の連結を、構造の強度を所要のとおり確保しながら十分強固にする。
【００４２】
水平横梁８の一端部が、先に述べたとおりにして、支柱４の受け部２４に連結された状態において、ジョイント部材１０における、水平上板５６に形成された貫通穴８４の各々と、水平下板５４に形成された貫通穴７８のうち、水平上板５６に対向する領域に形成された貫通穴７８の各々と、受け部２４における、水平上面３０に一端が開口する雌ねじ穴３８のうち、水平下板５４の、水平上板５６に対向する領域に形成された貫通穴７８に対応する雌ねじ穴３８の各々と、水平横梁８の水平下面９０に一端が開口する雌ねじ穴９６の各々とは、それぞれ相互に、平行でありかつ、実質的に共通の鉛直軸線上に配置される。受け部２４における、水平上面３０に一端が開口する雌ねじ穴３８の各々は、それぞれ、上記鉄筋３８Ｒの一端部に形成されている。水平横梁８の水平下面９０に一端が開口する雌ねじ穴９６の各々は、それぞれ、上記鉄筋９６Ｒの一端部に形成されている。上記鉄筋３８Ｒのうち、水平下板５４の、水平上板５６に対向する領域に形成された貫通穴７８に対応する雌ねじ穴３８が形成された鉄筋３８Ｒの各々と、上記鉄筋９６Ｒの各々とは、それぞれ相互に、平行でありかつ、実質的に共通の該鉛直軸線上を延在する、少なくとも上記鉄筋３８Ｒ及び９６Ｒの各々の一端部を含む直線領域を含んでいる。
【００４３】
このような構成は、支柱４の受け部２４における水平上面３０とジョイント部材１０の水平下板５４との間の連結、及びジョイント部材１０の水平上板５６と水平横梁８の水平下面９０との間の連結、すなわち、支柱４の受け部２４における水平上面３０と水平横梁８の水平下面９０との間の連結を、構造の強度を所要のとおり確保しながら十分強固にする。
【００４４】
水平横梁８の一端部が、先に述べたとおりにして、支柱４の受け部２４に連結された状態において、ジョイント部材１０における、先端傾斜下板５８及び先端傾斜上板６０に形成された貫通穴８０（図８参照）及び８６の各々と、受け部２４における、先端傾斜面３４に一端が開口する雌ねじ穴４０の各々と、水平横梁８傾斜下面９２に一端が開口する雌ねじ穴９８の各々とは、それぞれ相互に、平行でありかつ、実質的に共通の傾斜軸線上に配置される。受け部２４における、先端傾斜面３４に一端が開口する雌ねじ穴４０の各々は、それぞれ、上記鉄筋４０Ｒの一端部に形成されている。水平横梁８の傾斜下面９２に一端が開口する雌ねじ穴９８の各々は、それぞれ、上記鉄筋９８Ｒの一端部に形成されている。上記鉄筋３８Ｒの各々と上記鉄筋９８Ｒの各々とは、それぞれ相互に、平行でありかつ、実質的に共通の該傾斜軸線上を延在する、少なくとも上記鉄筋３８Ｒ及び９８Ｒの各々の一端部を含む直線領域を含んでいる。
【００４５】
このような構成は、支柱４の受け部２４における先端傾斜面３４とジョイント部材１０の先端傾斜下板５８との間の連結、及びジョイント部材１０の先端傾斜上板６０と水平横梁８の傾斜下面９２との間の連結、すなわち、支柱４の受け部２４における先端傾斜面３４と水平横梁８の傾斜下面９２との間の連結を、構造の強度を所要のとおり確保しながら十分強固にする。特に、上記鉄筋３８Ｒの各々と上記鉄筋９８Ｒの各々とは、相互に直交する支柱４と水平横梁８との連結部に対し、受け部２４と共に斜めに延在するブレースとして機能するので、支柱４と水平横梁８との連結強度を向上させ、立体構築物２全体の強度アップに大きく寄与するものである。
【００４６】
支柱４及び６と水平横梁８との連結構造は上記のとおりであるので、それぞれＰＣコンクリートからなる支柱４及び６と水平横梁８との連結を容易かつ強固に行うことを可能にし、しかも、地震など、不測の外力を受けた際、あるいは老朽化した際においても、水平横梁８の落下を防止することができる。
【００４７】
図１を参照して、相互に共通部品からなる水平縦梁１２はＰＣコンクリートから形成されている。矩形横断面を有する水平縦梁１２は、両端に例えば鋼板からなる金属板１１４が一体に配設されている。金属板１１４の各々は、水平縦梁１２の長手方向に延在するよう水平縦梁１２に内蔵された複数の図示しない鉄筋の両端にそれぞれに溶接により固着されている。平面矩形の平板からなる金属板１１４は、水平縦梁１２の矩形横断面よりも面積が広く、水平縦梁１２の両端における、水平横方向両側から水平外方に延び出している。金属板１１４の延び出した領域には複数のボルト挿入用の穴１１６が形成されている。水平縦梁１２は、金属板１１４の各々を、対応する水平横梁８の水平横方向中央であって水平縦方向に面した両側面に図示しないボルトにより締結することにより、対応する水平横梁８に離脱自在に連結される。なお、水平横梁８の水平横方向中央であって水平縦方向に面した両側面には、該ボルト締結用の図示しない雌ねじ部材が、一端が開口するよう埋設されている。
【００４８】
水平縦梁１２の両端部に配設された金属板１１４は、水平縦梁１２の強度を向上させると共に、必要に応じてコンクリートにプレストレスを付加する機能をも有している。
【００４９】
次に、相互に共通部品からなるＰＣコンクリート製のフェンスユニット１４について説明する。図１４〜図１７を参照して、矩形平面を有するフェンスユニット１４は、図１４及び図１５において、長手方向である左右方向長さが幅方向である上下方向長さよりも長く形成されている。フェンスユニット１４には、丸鋼からなる複数の鉄筋１２０が、長手方向及び幅方向に相互に直交して埋設されている。フェンスユニット１４の長手方向の両端部における幅方向の両側部には、それぞれ、長手方向に間隔をおいて配置された２個の雌ねじ部材１２２の一端が、フェンスユニット１４の裏面（立体構築物２に装着されたとき、立体構築物２の内側に向けられるコンクリート面であって、図１４及び図１５において表側、図１６において右側のコンクリート面）に開口させられている。２個の雌ねじ部材１２２の一端部は、連結板１２４に溶接により固着され、他端は、鉄筋１２０に溶接により固着されている。フェンスユニット１４の長手方向の中央部における幅方向の両側部には、それぞれ、長手方向に間隔をおいて配置された４個の雌ねじ部材１２２の一端が、フェンスユニット１４の裏面に開口させられている。図示はされていないが、４個の雌ねじ部材１２２の一端部は、先に述べたのと同様に、連結板１２６に溶接により固着され、他端は、鉄筋１２０に溶接により固着されている。
【００５０】
フェンスユニット１４には、鉄筋１２０と一体に配設された少なくとも１組のＸ形ブレース１２７、実施形態においては２組のＸ形ブレース１２７が内蔵されている。相互に実質的に同じ構成を有するＸ形ブレース１２７の各々は、丸鋼１２７ａと１２７ｂとをＸ形に交差させて鉄筋１２０に溶接により固着してなり、図１５に示されているように、それぞれ、フェンスユニット１４の長手方向中央に対し、長手方向に対称に配置されている。
【００５１】
図１８及び図１９には、フェンスユニット１４の長手方向の両端部を、支柱４、支柱６などの連結部に連結するための連結金具１６が図示されている。連結金具１６は、第１の取付板１２８と、第１の取付板１２８の片面に溶接により固着されたチャンネル部材１３０とからなる。第１の取付板１２８は、矩形状であって、図１８において、長手方向である左右方向長さが幅方向である上下方向長さよりも長く形成されている。チャンネル部材１３０は、矩形状をなす第２の取付板１３２と、第２の取付板１３２の片面における上下方向両側から相互に平行に該片面に対して直角に同じ長さだけ延びる側板１３４及び１３６とからなる。側板１３４及び１３６は矩形状をなし、各々の先端が、第１の取付板１２８の片面における上下方向両側に溶接により固着されている。第１の取付板１２８の長手方向長さは、チャンネル部材１３０の長手方向長さよりも長く形成されている。第１の取付板１２８の幅方向中央には、長手方向に間隔をおいて２個の貫通穴１３８が形成されている。貫通穴１３８は、フェンスユニット１４の長手方向の両端部における幅方向の両側部にそれぞれ配置された２個の雌ねじ部材１２２に対応して形成されている。第２の取付板１３２の中央には１個の貫通穴１４０が形成されている。連結金具１６には、第１の取付板１２８とチャンネル部材１３０とによって、連結金具１６の外に開放された内側空間（図１８及び図１９において左右外方に開放された内側空間）が形成される。
【００５２】
フェンスユニット１４の長手方向の中央部を、支柱４、支柱６などの連結部に連結するための連結金具１８（図１参照）は、図示はされていないが、連結金具１６と実質的に同じ構成を有している。連結金具１６と相違する構成は、連結金具１６よりも長い第１の取付板１２８の幅方向中央に、長手方向に間隔をおいて４個の貫通穴１３８が形成されていることである。４個の貫通穴１３８は、フェンスユニット１４の長手方向の中央部における幅方向の両側部にそれぞれ配置された４個の雌ねじ部材１２２に対応して形成されている。
【００５３】
図１、図２５及び図２６を参照して、フェンスユニット１４は、水平縦方向に相互に隣り合う支柱４の各々及び支柱６の各々、のうちの片方又は両方（実施形態においては両方）における、上下方向中央部及び上端部であって、水平横方向における外側間に、離脱自在に連結される。実施形態において、フェンスユニット１４は、水平縦方向に相互に隣り合う３個の支柱４、及び３個の支柱６の、上下方向中央部及び上端部であって、水平横方向における外側間に、それぞれ離脱自在に連結される。フェンスユニット１４の各々の両端部における、水平横方向における内側と、対応する支柱４及び６の、水平横方向における外側との間には、それぞれ、外（水平縦方向）に開放された内側空間を有する連結金具１６が介在される。フェンスユニット１４の各々の中央部における、水平横方向における内側と、対応する支柱４及び６の、水平横方向における外側との間には、それぞれ、外（水平縦方向）に開放された内側空間を有する連結金具１８が介在される。連結金具１６及び１８の各々は、それぞれ、対応する支柱４及び６の該外側に該内側空間からボルトにより離脱自在に締結される。フェンスユニット１４の各々は、対応する連結金具１６及び１８に該内側空間からボルトにより離脱自在に締結される。
【００５４】
図１６には、フェンスユニット１４が連結金具１６を介して支柱４の水平横方向外側に連結された状態が図示されている。図１８及び図１９に示されている連結金具１６は、第２の取付板１３２が、支柱４の連結部に一端が開口するよう埋設された雌ねじ部材１４２に貫通穴１４０を通してボルト１４４をねじ込むことにより、該連結部に離脱自在に締結される。フェンスユニット１４は、連結金具１６における第１の取付板１２８の２個の貫通穴１３８を通してボルト１４６を、フェンスユニット１４の、対応する２個の雌ねじ穴１２２にねじ込むことにより、連結金具１６に離脱自在に締結される。連結金具１８を介在させた、フェンスユニット１４の、対応する支柱４に対する取付も、上記と実質的に同じであるので説明は省略する。また、連結金具１６及び１８を介在させた、フェンスユニット１４の、対応する支柱６に対する取付も、上記と実質的に同じであるので説明は省略する。このようにしてフェンスユニット１４の各々は、それぞれ水平縦方向に相互に隣り合う支柱４の各々及び支柱６の各々における、上下方向中央部及び上端部であって、水平横方向における外側間に離脱自在に装着される（図１、図２５及び図２６参照）。
【００５５】
連結金具１６及び１８を、対応する支柱４及び６にボルト締めする作業、及び連結金具１６及び１８を、フェンスユニット１４にボルト締めする作業は、いずれも、連結金具１６及び１８に設けられた、外（水平縦方向）に開放された内側空間を利用して行われるので、フェンスユニット１４の、対応する支柱４及び６への取付を、容易にしかも迅速かつ確実に遂行することができる。
【００５６】
フェンスユニット１４には、鉄筋１２０と、鉄筋１２０と一体に配設された少なくとも１組の（実施形態においては２組の）Ｘ形ブレース１２７とが内蔵されているので、シンプルで良好な外観を確保しながら、立体構築物２における水平横方向両側の所要の強度を確保することができる。また、水平縦方向に相互に隣り合う支柱４の各々間及び支柱６の各々間を、従来におけるように、複数の水平縦梁で連結する必要も無いので、構成部材の数及び組立工数が低減され、トータルコストの低減に寄与する。
【００５７】
図１、図２３及び図２４を参照して、フェンスユニット１４はまた、立体構築物２の長手方向の両端に配置された上下２個の水平横梁８の、水平縦方向における外側にも、それぞれ、連結金具１６及び１８を介して離脱自在に連結されている。なお、水平横梁８の各々は、フェンスユニット１４を取り付けるに十分な高さを有していないので、該水平横梁８の各々の所定位置には、金属板から形成される支持部材１５０が、水平横梁８の各々の表面から直立するよう、図示しないボルトにより離脱自在に締結される（図２７及び図２８も参照）。支持部材１５０の各々には、連結金具１６又は１８をボルト１４４（図１６参照）により締結するための図示しない雌ねじ部材が配設される。フェンスユニット１４の各々の、対応する水平横梁８への連結も、それぞれ、連結金具１６及び１８を介在して行われるので、フェンスユニット１４の、対応する水平横梁８への取付を、容易にしかも迅速かつ確実に遂行することができる。
【００５８】
水平横方向に相互に隣り合う支柱４及び６の上下方向中央部間を連結する水平横梁８の各々の上面間には、それぞれ、２階のフロア２Ｆを構成するフロアパネル２０が離脱自在に連結されている。また水平横方向に相互に隣り合う支柱４及び６の上端部間を連結する水平横梁８の各々の上面間には、それぞれ、３階のフロア３Ｆ（屋上フロア）を構成するフロアパネル２０が離脱自在に連結されている。図２０〜図２２を参照して、フロアパネル２０は、水平縦方向に相互に隣り合う水平横梁８の上面に跨って戴置され、それぞれ、ボルト１５２により水平横梁８の上面に離脱自在に締結される。フロアパネル２０の、水平縦方向における両端部には、それぞれ、複数の、実施形態においては３個の貫通穴１５４が、水平横方向に間隔をおいて形成されている。水平横梁８の上面には、フロアパネル２０の一端部に形成された貫通穴１５４に対応して、雌ねじ部材１５６が一端が開口するよう埋設されている。雌ねじ部材１５６の各々の他端は、図示しない鉄筋に溶接により固着される。フロアパネル２０は、ボルト１５２を、フロアパネル２０の貫通穴１５４を通して雌ねじ部材１５６にねじ込むことにより、対応する水平横梁８の上面に離脱自在に締結される。図２７には、複数のフロアパネル２０により形成された２階のフロア２Ｆが図示されている。また、図２８には、複数のフロアパネル２０により形成された３階のフロア３Ｆが図示されている。図２７及び図２８において、支柱４及び６から相互に接近する方向に描かれている線は、駐車仕切り線を示している。
【００５９】
図２９には、図１に示す立体構築物２の使用状態が概略的に示されている。この図からも明らかなように、立体構築物２の水平横方向の側縁に配置された支柱４及び６が該側縁に沿って水平縦方向に間隔をおいて配置されているので、しかも、支柱４及び６の内側には他の支柱が一切存在しないので、内部空間が最大限に広くなり、使い易くなっている。
【００６０】
上記立体構築物２において、主要構成部材は、それぞれ、ＰＣコンクリートからなる、支柱４及び６、水平横梁８、水平縦梁１２、フェンスユニット１４及びフロアパネル２０であり、わずか６種類と少ない。また、支柱４の各々間及び支柱６の各々間の連結は、フェンスユニット１４により行われ、水平縦梁を不要としている。したがって、立体構築物２によれば、構成部材の種類及び数並びに組付け工数を低減して、トータルコストの低減及び組立時間の短縮を可能にするのである。
【００６１】
上記立体構築物２において、ＰＣコンクリートからなる、支柱４及び６、水平横梁８、水平縦梁１２、フェンスユニット１４及びフロアパネル２０には、鉄筋などの強度部材が内蔵されるので、構成部材が簡素化され、構成部材の製作及び組立作業を容易にすると共に組立時間を短縮し、トータルコストの低減を可能にする。また、所要の強度が確保され、全体をシンプルにして外観を向上させることができる。
【００６２】
上記立体構築物２において、構成部材間の連結は全てボルトにより離脱自在に行われるので、組立作業性が良く、組立時間を短縮し、リサイクルも可能である。
【００６３】
上記立体構築物２においては、支柱４及び６の長さを長くして受け部２４の数を増やすことにより、上方への面積を容易に拡大することができる。また、上記立体構築物２を水平横方向に隣接して設置することにより、水平横方向への面積を容易に拡大することができる。この場合、片方の立体構築物２の支柱６における水平横方向の外側面と、他方の立体構築物２の支柱４における水平横方向の外側面とが、相互にわずかな隙間をおいて対向させられる。したがって、相互に対向する支柱４及び６には、フェンスユニット１４は配設されない。更にはまた、上記立体構築物２において、それぞれ水平縦方向に間隔をおいて設置される支柱４及び支柱６の各々の数を増加させることにより、水平縦方向への面積を容易に拡大することができる。このようにして、水平横方向及び水平縦方向に面積を拡大した３階式の立体構築物２００が、図３０に示されている。また、図３１には、水平横方向及び水平縦方向に加えて更に、上方への面積を拡大した５階式の立体構築物３００が示されている。
【００６４】
図１及び図２に示されているように、立体構築物２における支柱４及び６の各々の上端部は、矩形の水平面４２とフェンスユニット１４取付用の支持部４４とから構成されているが、図５において２点鎖線で示されているように、水平面４２を覆う金属板４３により構成する他の実施形態もある。金属板４３は、支柱４及び６に内蔵された複数の鉄筋４Ｒの上端に溶接により固着される。支柱４及び６の両端に配設された金属板４２及び４３は、支柱４及び６の強度アップに寄与すると共に、コンクリートにプレストレスを付加する機能をも有している。
【図面の簡単な説明】
【００６５】
【図１】本発明による立体構築物の実施形態を、一部を省略して示す正面概略図である。
【図２】図１に示す立体構築物に含まれる支柱、ジョイント部材及び水平横梁の一部、を分解して示す斜視概略図である。
【図３】図２に示す構成要素にフェンスユニットを付加して示す分解正面概略図である。
【図４】図３に示す支柱の一部、ジョイント部材及び水平横梁の一部を鉄筋と共に示す斜視透視図である。
【図５】図３に示す支柱の一部を鉄筋と共に透視して示す正面図である。
【図６】図５に示す支柱の要部を図５において右から見た側面透視図である。
【図７】図３に示すジョイント部材の正面図である。
【図８】図７に示すジョイント部材を図７において右から見た側面図である。
【図９】図３に示す水平横梁の一部を鉄筋と共に透視して示す正面図である。
【図１０】図９に示す水平横梁の平面透視図である。
【図１１】図９に示す水平横梁を図９において左から見た図である。
【図１２】図９のＡ部拡大図である。
【図１３】図１に示す立体構築物に含まれる支柱の一部、ジョイント部材及び水平横梁の一部が相互に連結された状態を示す正面図であって、支柱の一部及び水平横梁の一部を鉄筋と共に透視して示す正面図である。
【図１４】図１に示す立体構築物に含まれるフェンスユニットを立体構築物の内側から見た図である。
【図１５】図１４に示すフェンスユニットを鉄筋と共に透視して示す図である。
【図１６】図１５に示すフェンスユニットが連結金具を介して支柱に取り付けられた状態を示す側面図であって、鉄筋と共に透視して示す側面図である。
【図１７】図１６に示すフェンスユニットにおいて、一対の雌ねじ部材が配設された状態を、図１６において上から見た図である。
【図１８】図１６に示す連結金具を図１６において右から見た図である。
【図１９】図１８に示す連結金具を図１８において上から見た図である。
【図２０】図１に示す立体構築物に含まれるフロアパネルが水平横梁上に取り付けられた状態の一部を示す平面図である。
【図２１】図２０に示す水平横梁と、フロアパネルと、ボルトとを分解して示す図であって、図２０において下から見た図である。
【図２２】図２０のＢ−Ｂ矢視断面拡大図である。
【図２３】図１に示す立体構築物の完成状態を示す正面図（図１と同じ方向から見た正面図）であって、一部を断面で示す正面図である。
【図２４】図２３に示す立体構築物を透視状態で示す正面図である。
【図２５】図２３に示す立体構築物を図２３において左から見た側面図であって、一部を省略して示す側面図である。
【図２６】図２５に示す立体構築物を透視状態で示す側面図である。
【図２７】図２５に示す立体構築物の２階部分を示す平面図であって、一部を断面で示す平面図である。
【図２８】図２５に示す立体構築物の３階部分を示す平面図であって、一部を断面で示す平面図である。
【図２９】図１に示す立体構築物に自動車が駐車した状態を示す正面概略図であって、一部を省略して示す正面概略図である。
【図３０】本発明による立体構築物の他の実施形態を示す斜視概略図である。
【図３１】本発明による立体構築物の更に他の実施形態を示す斜視概略図である。
【符号の説明】
【００６６】
２、２００、３００：立体構築物
４、６：支柱
８： 水平横梁
１０：ジョイント部材
１２：水平縦梁
１４：フェンスユニット
１６，１８：連結金具
２０：フロアパネル
【図１】
2006009359.tif 000003
【図２】
2006009359.tif 000004
【図３】
2006009359.tif 000005
【図４】
2006009359.tif 000006
【図５】
2006009359.tif 000007
【図６】
2006009359.tif 000008
【図７】
2006009359.tif 000009
【図８】
2006009359.tif 000010
【図９】
2006009359.tif 000011
【図１０】
2006009359.tif 000012
【図１１】
2006009359.tif 000013
【図１２】
2006009359.tif 000014
【図１３】
2006009359.tif 000015
【図１４】
2006009359.tif 000016
【図１５】
2006009359.tif 000017
【図１６】
2006009359.tif 000018
【図１７】
2006009359.tif 000019
【図１８】
2006009359.tif 000020
【図１９】
2006009359.tif 000021
【図２０】
2006009359.tif 000022
【図２１】
2006009359.tif 000023
【図２２】
2006009359.tif 000024
【図２３】
2006009359.tif 000025
【図２４】
2006009359.tif 000026
【図２５】
2006009359.tif 000027
【図２６】
2006009359.tif 000028
【図２７】
2006009359.tif 000029
【図２８】
2006009359.tif 000030
【図２９】
2006009359.tif 000031
【図３０】
2006009359.tif 000032
【図３１】
2006009359.tif 000033
【手続補正書】
【提出日】平成16年7月15日(2004.7.15)
【手続補正１】
【補正対象書類名】図面
【補正対象項目名】全図
【補正方法】変更
【補正の内容】
【図１】
2006009359.tif 000034
【図２】
2006009359.tif 000035
【図３】
2006009359.tif 000036
【図４】
2006009359.tif 000037
【図５】
2006009359.tif 000038
【図６】
2006009359.tif 000039
【図７】
2006009359.tif 000040
【図８】
2006009359.tif 000041
【図９】
2006009359.tif 000042
【図１０】
2006009359.tif 000043
【図１１】
2006009359.tif 000044
【図１２】
2006009359.tif 000045
【図１３】
2006009359.tif 000046
【図１４】
2006009359.tif 000047
【図１５】
2006009359.tif 000048
【図１６】
2006009359.tif 000049
【図１７】
2006009359.tif 000050
【図１８】
2006009359.tif 000051
【図１９】
2006009359.tif 000052
【図２０】
2006009359.tif 000053
【図２１】
2006009359.tif 000054
【図２２】
2006009359.tif 000055
【図２３】
2006009359.tif 000056
【図２４】
2006009359.tif 000057
【図２５】
2006009359.tif 000058
【図２６】
2006009359.tif 000059
【図２７】
2006009359.tif 000060
【図２８】
2006009359.tif 000061
【図２９】
2006009359.tif 000062
【図３０】
2006009359.tif 000063
【図３１】
2006009359.tif 000064
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、該水平縦方向における両外側に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結され、
該水平横方向に相互に隣り合う支柱の各々の本体は、該水平横方向に対向する鉛直面を有し、該水平横方向に相互に隣り合う支柱の各々の受け部は、鉛直面の一部領域と、鉛直面の該一部領域における下端から同じ高さで該水平横方向の内側へ水平に延び出す水平上面とを備え、鉛直面の該一部領域及び水平上面には、それぞれ、複数のボルト締結用の雌ねじ穴の一端が開口しており、
ジョイント部材の各々は、鉛直に延在する鉛直外板と、鉛直外板に対し該水平横方向の内側に間隔をおいて鉛直にかつ平行に延在する鉛直内板と、鉛直外板の下端から該水平横方向の内側へ水平に延びる水平下板と、水平下板に対し鉛直上方に間隔をおいて鉛直内板の下端部から該水平横方向の内側へ水平に延びる水平上板とを備え、
鉛直外板及び水平下板には、それぞれ、対応する受け部における、鉛直面の該一部領域及び水平上面に一端が開口する雌ねじ穴に対応して、複数のボルト挿入用の貫通穴が形成され、また鉛直内板及び水平上板には、それぞれ、複数のボルト挿入用の貫通穴が形成され、鉛直外板と鉛直内板との間、及び、水平下板と水平上板との間には、それぞれ、該内側空間が形成され、
水平横梁の各々の両端部は、それぞれ、鉛直に延在する鉛直端面と、鉛直端面の下端から該水平横方向の内側へ水平に延びる水平下面とを備え、鉛直端面及び水平下面には、それぞれ、対応するジョイント部材の、鉛直内板及び水平上板に形成されたボルト挿入用の貫通穴に対応する、複数のボルト締結用の雌ねじ穴の一端が開口している、
ことを特徴とする立体構築物。
【請求項２】
水平縦梁手段の各々はＰＣコンクリートからなる１個の水平縦梁から構成される、請求項１記載の立体構築物。
【請求項３】
水平縦梁の各々は、両端に金属板が一体に配設されると共に、金属板の各々を、対応する水平横梁にボルトにより締結することにより、対応する水平横梁に離脱自在に連結される、請求項２記載の立体構築物。
【請求項４】
水平横梁の各々の上面は実質的に水平面上に位置付けられ、該水平縦方向に相互に隣り合う水平横梁の各々の上面間には、ＰＣコンクリートからなるフロアパネルが戴置されると共にボルトにより離脱自在に締結される、請求項１又は請求項２記載の立体構築物。
【請求項５】
支柱の各々の下端及び上端のうち、少なくとも下端は金属板により覆われ、金属板は支柱の各々に内蔵された鉄筋に溶接により固着され、支柱の各々は、下端に配設された金属板を該設置面上にボルトにより離脱自在に締結することにより該設置面上に設置される、請求項１〜４のいずれか１項に記載の立体構築物。
【請求項６】
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、外に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結され、
該水平縦方向に相互に隣り合う支柱の各々のうちの片方又は両方の、該水平横方向における外側間は、ＰＣコンクリートからなるフェンスユニットが離脱自在に連結され、フェンスユニットの各々の該水平横方向における内側と、対応する支柱の該外側との間には、外に開放された内側空間を有する連結金具が介在され、連結金具の各々は、対応する支柱の該外側に該内側空間からボルトにより離脱自在に締結され、フェンスユニットの各々は、対応する連結金具に該内側空間からボルトにより離脱自在に締結される、
ことを特徴とする立体構築物。
【請求項７】
フェンスユニットの各々には、鉄筋と、鉄筋と一体に配設された少なくとも１組のＸ形ブレースとが内蔵されている、請求項６記載の立体構築物。
【請求項８】
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、外に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結され、
該水平横方向に相互に隣り合う支柱の各々の本体は、該水平横方向に対向する鉛直面を有し、該水平横方向に相互に隣り合う支柱の各々の受け部は、鉛直面の一部領域と、鉛直面の該一部領域における下端から同じ高さで該水平横方向の内側へ水平に延び出す水平上面と、水平上面に対し下方に間隔をおいた位置における鉛直面から該水平横方向の内側へ上方に傾斜して水平上面の先端よりも該水平横方向の内側に突出しかつ水平上面の先端よりも低い位置まで延び出す傾斜下面と、水平上面の先端から傾斜下面の先端まで該水平横方向の内側へ下方に傾斜して延びる先端傾斜面とを備え、鉛直面の該一部領域、水平上面及び先端傾斜面には、それぞれ、複数のボルト締結用の雌ねじ穴の一端が開口している、
ことを特徴とする立体構築物。
【請求項９】
支柱の各々の受け部における、鉛直面の該一部領域、水平上面及び先端傾斜面に、それぞれ一端が開口する雌ねじ穴の各々は、受け部を含む支柱に内蔵された鉄筋の一端部に形成されている、請求項８記載の立体構築物。
【請求項１０】
ジョイント部材の各々は、鉛直に延在する鉛直外板と、鉛直外板に対し該水平横方向の内側に間隔をおいて鉛直にかつ平行に延在する鉛直内板と、鉛直外板の下端から該水平横方向の内側へ水平に延びる水平下板と、水平下板に対し鉛直上方に間隔をおいて鉛直内板の下端部から該水平横方向の内側へ水平にかつ平行に水平下板の先端よりも該水平横方向の内側に突出した位置まで延び出す水平上板と、水平下板の先端から該水平横方向の内側へ下方に傾斜して延びる先端傾斜下板と、水平上板の先端から先端傾斜下板に対し間隔をおいて平行に該水平横方向の内側へ下方に傾斜して延びる先端傾斜上板とを備え、
鉛直外板、水平下板及び先端傾斜下板には、それぞれ、対応する受け部における、鉛直面の該一部領域、水平上面及び先端傾斜面に一端が開口する雌ねじ穴に対応して、複数のボルト挿入用の貫通穴が形成され、また鉛直内板、水平上板及び先端傾斜上板には、それぞれ、複数のボルト挿入用の貫通穴が形成され、鉛直外板と鉛直内板との間、水平下板と水平上板との間、及び、先端傾斜下板と先端傾斜上板との間には、それぞれ、該内側空間が形成される、請求項８又は請求項９記載の立体構築物。
【請求項１１】
水平横梁の各々の両端部は、それぞれ、鉛直に延在する鉛直端面と、鉛直端面の下端から該水平横方向の内側へ水平に延びる水平下面と、水平下面における、該水平横方向の内側先端から該水平横方向の内側へ下方に傾斜して延びる傾斜下面とを備え、鉛直端面、水平下面及び傾斜下面には、それぞれ、対応するジョイント部材の、鉛直内板、水平上板及び先端傾斜上板に形成されたボルト挿入用の貫通穴に対応する、複数のボルト締結用の雌ねじ穴の一端が開口している、請求項１０記載の立体構築物。
【請求項１２】
水平横梁の各々の両端部における、鉛直端面、水平下面及び傾斜下面に、それぞれ一端が開口する雌ねじ穴の各々は、水平横梁に内蔵された鉄筋の一端部に形成されている、請求項１１記載の立体構築物。
【請求項１３】
水平横梁の各々の両端部にはそれぞれ金属板が配設され、金属板の各々は、水平横梁の各々に内蔵された鉄筋に溶接により固着され、水平横梁の各々の両端部における、鉛直端面、水平下面及び傾斜下面は、それぞれ、該金属板の表面により規定される、請求項１２記載の立体構築物。
【請求項１４】
ジョイント部材の各々は、鉛直外板、水平下板及び先端傾斜下板を、それぞれ、対応する受け部における、鉛直面の該一部領域、水平上面及び先端傾斜面に重合させて、ボルトを貫通穴を通して雌ねじ穴にねじ込んで締結することにより、対応する受け部に離脱自在に締結され、
水平横梁の両端部は、両端部における、鉛直端面、水平下面及び傾斜下面を、それぞれ、対応するジョイント部材の鉛直内板、水平上板及び先端傾斜上板に重合させて、ボルトを貫通穴を通して雌ねじ穴にねじ込んで締結することにより、ジョイント部材を介して対応する支柱の受け部に離脱自在に連結される、請求項１１記載の立体構築物。
【請求項１５】
ジョイント部材の各々における、鉛直外板及び鉛直内板の、鉛直外板に対向する領域に形成された貫通穴の各々と、対応する支柱の受け部における、鉛直面の該一部領域に一端が開口する雌ねじ穴の各々と、水平横梁の、対応する鉛直端面に一端が開口する雌ねじ穴の各々とは、それぞれ相互に、平行でありかつ、実質的に共通の該水平横方向に延在する水平軸線上に配置される、請求項１４記載の立体構築物。
【請求項１６】
支柱の各々の受け部における、鉛直面の該一部領域に一端が開口する雌ねじ穴の各々は、それぞれ、該受け部を含む支柱に内蔵された鉄筋の一端部に形成され、水平横梁の、対応する鉛直端面に一端が開口する雌ねじ穴の各々は、それぞれ、該水平横梁に内蔵された鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該水平軸線上を延在する、少なくとも該鉄筋の各々の一端部を含む直線領域を含んでいる、請求項１５記載の立体構築物。
【請求項１７】
ジョイント部材の各々における、水平上板及び水平下板の、水平上板に対向する領域に形成された貫通穴の各々と、対応する支柱の受け部における、水平上面に一端が開口する雌ねじ穴のうち、水平下板の、水平上板に対向する領域に形成された貫通穴に対応する雌ねじ穴の各々と、水平横梁の、対応する水平下面に一端が開口する雌ねじ穴の各々とは、それぞれ相互に、平行でありかつ、実質的に共通の鉛直軸線上に配置される、請求項１６記載の立体構築物。
【請求項１８】
支柱の各々の受け部における、水平上面に一端が開口する雌ねじ穴の各々は、それぞれ、該受け部を含む支柱に内蔵された鉄筋の一端部に形成され、水平横梁の、対応する水平下面に一端が開口する雌ねじ穴の各々は、それぞれ、該水平横梁に内蔵された鉄筋の一端部に形成され、該受け部を含む支柱に内蔵された鉄筋のうち、水平下板の、水平上板に対向する領域に形成された貫通穴に対応する雌ねじ穴が形成された鉄筋の各々と、該水平横梁に内蔵された該鉄筋の各々とは、それぞれ相互に、平行でありかつ、実質的に共通の該鉛直軸線上を延在する、少なくとも該鉄筋の各々の一端部を含む直線領域を含んでいる、請求項１７記載の立体構築物。
【請求項１９】
ジョイント部材の各々における、先端傾斜下板及び先端傾斜上板に形成された貫通穴の各々と、対応する支柱の受け部における、先端傾斜面に一端が開口する雌ねじ穴の各々と、水平横梁の、対応する傾斜下面に一端が開口する雌ねじ穴の各々とは、それぞれ相互に、平行でありかつ、実質的に共通の傾斜軸線上に配置される、請求項１８記載の立体構築物。
【請求項２０】
支柱の各々の受け部における、先端傾斜面に一端が開口する雌ねじ穴の各々は、それぞれ、該受け部を含む支柱に内蔵された鉄筋であって傾斜下面に沿って斜めに直線状に延在する鉄筋の一端部に形成され、水平横梁の、対応する傾斜下面に一端が開口する雌ねじ穴の各々は、それぞれ、該水平横梁に内蔵された鉄筋であって斜めに直線状に延在する鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該傾斜軸線上を延在する、少なくとも該鉄筋の各々の一端部を含む直線領域を含んでいる、請求項１９記載の立体構築物。
【手続補正２】
【補正対象書類名】明細書
【補正対象項目名】００１０
【補正方法】変更
【補正の内容】
【００１０】
本発明の一局面によれば、
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、該水平縦方向における両外側に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結され、
該水平横方向に相互に隣り合う支柱の各々の本体は、該水平横方向に対向する鉛直面を有し、該水平横方向に相互に隣り合う支柱の各々の受け部は、鉛直面の一部領域と、鉛直面の該一部領域における下端から同じ高さで該水平横方向の内側へ水平に延び出す水平上面とを備え、鉛直面の該一部領域及び水平上面には、それぞれ、複数のボルト締結用の雌ねじ穴の一端が開口しており、
ジョイント部材の各々は、鉛直に延在する鉛直外板と、鉛直外板に対し該水平横方向の内側に間隔をおいて鉛直にかつ平行に延在する鉛直内板と、鉛直外板の下端から該水平横方向の内側へ水平に延びる水平下板と、水平下板に対し鉛直上方に間隔をおいて鉛直内板の下端部から該水平横方向の内側へ水平に延びる水平上板とを備え、
鉛直外板及び水平下板には、それぞれ、対応する受け部における、鉛直面の該一部領域及び水平上面に一端が開口する雌ねじ穴に対応して、複数のボルト挿入用の貫通穴が形成され、また鉛直内板及び水平上板には、それぞれ、複数のボルト挿入用の貫通穴が形成され、鉛直外板と鉛直内板との間、及び、水平下板と水平上板との間には、それぞれ、該内側空間が形成され、
水平横梁の各々の両端部は、それぞれ、鉛直に延在する鉛直端面と、鉛直端面の下端から該水平横方向の内側へ水平に延びる水平下面とを備え、鉛直端面及び水平下面には、それぞれ、対応するジョイント部材の、鉛直内板及び水平上板に形成されたボルト挿入用の貫通穴に対応する、複数のボルト締結用の雌ねじ穴の一端が開口している、
ことを特徴とする立体構築物、が提供される。
水平縦梁手段の各々はＰＣコンクリートからなる１個の水平縦梁から構成される、ことが好ましい。
水平縦梁の各々は、両端に金属板が一体に配設されると共に、金属板の各々を、対応する水平横梁にボルトにより締結することにより、対応する水平横梁に離脱自在に連結される、ことが好ましい。
水平横梁の各々の上面は実質的に水平面上に位置付けられ、該水平縦方向に相互に隣り合う水平横梁の各々の上面間には、ＰＣコンクリートからなるフロアパネルが戴置されると共にボルトにより離脱自在に締結される、ことが好ましい。
支柱の各々の下端及び上端のうち、少なくとも下端は金属板により覆われ、金属板は支柱の各々に内蔵された鉄筋に溶接により固着され、支柱の各々は、下端に配設された金属板を該設置面上にボルトにより離脱自在に締結することにより該設置面上に設置される、ことが好ましい。
本発明の他の局面によれば、
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、外に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結され、
該水平縦方向に相互に隣り合う支柱の各々のうちの片方又は両方の、該水平横方向における外側間は、ＰＣコンクリートからなるフェンスユニットが離脱自在に連結され、フェンスユニットの各々の該水平横方向における内側と、対応する支柱の該外側との間には、外に開放された内側空間を有する連結金具が介在され、連結金具の各々は、対応する支柱の該外側に該内側空間からボルトにより離脱自在に締結され、フェンスユニットの各々は、対応する連結金具に該内側空間からボルトにより離脱自在に締結される、
ことを特徴とする立体構築物、が提供される。
フェンスユニットの各々には、鉄筋と、鉄筋と一体に配設された少なくとも１組のＸ形ブレースとが内蔵されている、ことが好ましい。
本発明の更に他の局面によれば、
水平横方向及び該水平横方向に直交する水平縦方向にそれぞれ相互に間隔を置いて設置面上に離脱自在に設置される支柱と、該水平横方向に相互に隣り合う支柱間を離脱自在に連結する水平横梁と、該水平縦方向に相互に隣り合う水平横梁間を離脱自在に連結する水平縦梁手段とを備えた立体構築物において、
支柱の各々及び水平横梁の各々はＰＣコンクリートから構成され、
該水平横方向に対向する支柱の各々は、鉛直に延在する本体と、本体から該水平横方向の内側へ延び出す受け部を備え、受け部の各々には、外に開放された内側空間を有する金属製のジョイント部材が戴置されると共に該内側空間からボルトにより離脱自在に締結され、水平横梁の各々の両端部は、対応する支柱の受け部に締結されたジョイント部材に戴置されると共にジョイント部材の該内側空間からボルトにより離脱自在に締結され、
該水平横方向に相互に隣り合う支柱の各々の本体は、該水平横方向に対向する鉛直面を有し、該水平横方向に相互に隣り合う支柱の各々の受け部は、鉛直面の一部領域と、鉛直面の該一部領域における下端から同じ高さで該水平横方向の内側へ水平に延び出す水平上面と、水平上面に対し下方に間隔をおいた位置における鉛直面から該水平横方向の内側へ上方に傾斜して水平上面の先端よりも該水平横方向の内側に突出しかつ水平上面の先端よりも低い位置まで延び出す傾斜下面と、水平上面の先端から傾斜下面の先端まで該水平横方向の内側へ下方に傾斜して延びる先端傾斜面とを備え、鉛直面の該一部領域、水平上面及び先端傾斜面には、それぞれ、複数のボルト締結用の雌ねじ穴の一端が開口している、
ことを特徴とする立体構築物、が提供される。
支柱の各々の受け部における、鉛直面の該一部領域、水平上面及び先端傾斜面に、それぞれ一端が開口する雌ねじ穴の各々は、受け部を含む支柱に内蔵された鉄筋の一端部に形成されている、ことが好ましい。
ジョイント部材の各々は、鉛直に延在する鉛直外板と、鉛直外板に対し該水平横方向の内側に間隔をおいて鉛直にかつ平行に延在する鉛直内板と、鉛直外板の下端から該水平横方向の内側へ水平に延びる水平下板と、水平下板に対し鉛直上方に間隔をおいて鉛直内板の下端部から該水平横方向の内側へ水平にかつ平行に水平下板の先端よりも該水平横方向の内側に突出した位置まで延び出す水平上板と、水平下板の先端から該水平横方向の内側へ下方に傾斜して延びる先端傾斜下板と、水平上板の先端から先端傾斜下板に対し間隔をおいて平行に該水平横方向の内側へ下方に傾斜して延びる先端傾斜上板とを備え、鉛直外板、水平下板及び先端傾斜下板には、それぞれ、対応する受け部における、鉛直面の該一部領域、水平上面及び先端傾斜面に一端が開口する雌ねじ穴に対応して、複数のボルト挿入用の貫通穴が形成され、また鉛直内板、水平上板及び先端傾斜上板には、それぞれ、複数のボルト挿入用の貫通穴が形成され、鉛直外板と鉛直内板との間、水平下板と水平上板との間、及び、先端傾斜下板と先端傾斜上板との間には、それぞれ、該内側空間が形成される、ことが好ましい。
水平横梁の各々の両端部は、それぞれ、鉛直に延在する鉛直端面と、鉛直端面の下端から該水平横方向の内側へ水平に延びる水平下面と、水平下面における、該水平横方向の内側先端から該水平横方向の内側へ下方に傾斜して延びる傾斜下面とを備え、鉛直端面、水平下面及び傾斜下面には、それぞれ、対応するジョイント部材の、鉛直内板、水平上板及び先端傾斜上板に形成されたボルト挿入用の貫通穴に対応する、複数のボルト締結用の雌ねじ穴の一端が開口している、ことが好ましい。
水平横梁の各々の両端部における、鉛直端面、水平下面及び傾斜下面に、それぞれ一端が開口する雌ねじ穴の各々は、水平横梁に内蔵された鉄筋の一端部に形成されている、ことが好ましい。
水平横梁の各々の両端部にはそれぞれ金属板が配設され、金属板の各々は、水平横梁の各々に内蔵された鉄筋に溶接により固着され、水平横梁の各々の両端部における、鉛直端面、水平下面及び傾斜下面は、それぞれ、該金属板の表面により規定される、ことが好ましい。
ジョイント部材の各々は、鉛直外板、水平下板及び先端傾斜下板を、それぞれ、対応する受け部における、鉛直面の該一部領域、水平上面及び先端傾斜面に重合させて、ボルトを貫通穴を通して雌ねじ穴にねじ込んで締結することにより、対応する受け部に離脱自在に締結され、水平横梁の両端部は、両端部における、鉛直端面、水平下面及び傾斜下面を、それぞれ、対応するジョイント部材の鉛直内板、水平上板及び先端傾斜上板に重合させて、ボルトを貫通穴を通して雌ねじ穴にねじ込んで締結することにより、ジョイント部材を介して対応する支柱の受け部に離脱自在に連結される、ことが好ましい。
ジョイント部材の各々における、鉛直外板及び鉛直内板の、鉛直外板に対向する領域に形成された貫通穴の各々と、対応する支柱の受け部における、鉛直面の該一部領域に一端が開口する雌ねじ穴の各々と、水平横梁の、対応する鉛直端面に一端が開口する雌ねじ穴の各々とは、それぞれ相互に、平行でありかつ、実質的に共通の該水平横方向に延在する水平軸線上に配置される、ことが好ましい。
支柱の各々の受け部における、鉛直面の該一部領域に一端が開口する雌ねじ穴の各々は、それぞれ、該受け部を含む支柱に内蔵された鉄筋の一端部に形成され、水平横梁の、対応する鉛直端面に一端が開口する雌ねじ穴の各々は、それぞれ、該水平横梁に内蔵された鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該水平軸線上を延在する、少なくとも該鉄筋の各々の一端部を含む直線領域を含んでいる、ことが好ましい。
ジョイント部材の各々における、水平上板及び水平下板の、水平上板に対向する領域に形成された貫通穴の各々と、対応する支柱の受け部における、水平上面に一端が開口する雌ねじ穴のうち、水平下板の、水平上板に対向する領域に形成された貫通穴に対応する雌ねじ穴の各々と、水平横梁の、対応する水平下面に一端が開口する雌ねじ穴の各々とは、それぞれ相互に、平行でありかつ、実質的に共通の鉛直軸線上に配置される、ことが好ましい。
支柱の各々の受け部における、水平上面に一端が開口する雌ねじ穴の各々は、それぞれ、該受け部を含む支柱に内蔵された鉄筋の一端部に形成され、水平横梁の、対応する水平下面に一端が開口する雌ねじ穴の各々は、それぞれ、該水平横梁に内蔵された鉄筋の一端部に形成され、該受け部を含む支柱に内蔵された鉄筋のうち、水平下板の、水平上板に対向する領域に形成された貫通穴に対応する雌ねじ穴が形成された鉄筋の各々と、該水平横梁に内蔵された該鉄筋の各々とは、それぞれ相互に、平行でありかつ、実質的に共通の該鉛直軸線上を延在する、少なくとも該鉄筋の各々の一端部を含む直線領域を含んでいる、ことが好ましい。
ジョイント部材の各々における、先端傾斜下板及び先端傾斜上板に形成された貫通穴の各々と、対応する支柱の受け部における、先端傾斜面に一端が開口する雌ねじ穴の各々と、水平横梁の、対応する傾斜下面に一端が開口する雌ねじ穴の各々とは、それぞれ相互に、平行でありかつ、実質的に共通の傾斜軸線上に配置される、ことが好ましい。
支柱の各々の受け部における、先端傾斜面に一端が開口する雌ねじ穴の各々は、それぞれ、該受け部を含む支柱に内蔵された鉄筋であって傾斜下面に沿って斜めに直線状に延在する鉄筋の一端部に形成され、水平横梁の、対応する傾斜下面に一端が開口する雌ねじ穴の各々は、それぞれ、該水平横梁に内蔵された鉄筋であって斜めに直線状に延在する鉄筋の一端部に形成され、該受け部を含む支柱に内蔵された該鉄筋の各々と、該水平横梁に内蔵された該鉄筋の各々とは、それぞれ相互に、平行でありかつ、実質的に共通の該傾斜軸線上を延在する、少なくとも該鉄筋の各々の一端部を含む直線領域を含んでいる、ことが好ましい。